(57)【特許請求の範囲】
【請求項１】
時間的に連続する特定の期間内に得られた動画データを、ユーザにより入力された指示に従って複数のシーンに分割すると共に、前記複数のシーンを１つ目のシーンから１シーンおきに再生させないシーンとして記録媒体に記録し、前記複数のシーンを２つ目のシーンから１シーンおきに再生するシーンとして前記記録媒体に記録する記録手段と、
前記特定の期間内に得られた動画データのうち、特定の前記再生させるシーンとして記録されたシーンを含むそれ以降の前記記録手段によって前記再生させるシーンとして記録されたシーンを再生させないシーンに変更すると共に、前記特定の期間内に得られた動画データのうち、前記特定の前記再生させるシーンとして記録されたシーン以降の前記記録手段によって前記再生させないシーンとして記録されたシーンを再生させるシーンに変更する変更手段
とを備えることを特徴とする記録装置。
【請求項２】
前記複数のシーンのうち前記再生させるシーンとして記録されたシーンを再生する再生手段を更に有し、
前記特定の前記再生させるシーンとして記録されたシーンは、前記再生手段により再生中のシーンである
ことを特徴とする請求項１に記載の記録装置。
【請求項３】
時間的に連続する特定の期間内に得られた動画データを、ユーザにより入力された指示に従って複数のシーンに分割すると共に、前記複数のシーンを１つ目のシーンから１シーンおきに再生させないシーンとして記録媒体に記録し、前記複数のシーンを２つ目のシーンから１シーンおきに再生するシーンとして前記記録媒体に記録する記録手段と、
前記複数のシーンのうち前記再生させるシーンとして記録されたシーンを再生する再生手段と、
前記再生手段により前記再生させるシーンとして記録されたシーンを再生中に、特定の指示が入力されたことに応じて、前記特定の期間内に得られた動画データのうち、前記再生中のシーンを含むそれ以降の、前記記録手段によって前記再生させるシーンとして記録されたシーンを再生させないシーンに変更すると共に、前記特定の期間内に得られた動画データのうち、前記再生中のシーン以降の、前記記録手段によって前記再生させるシーンとして記録されたシーンを再生させるシーンに変更する変更手段
とを備えることを特徴とする記録装置。
【請求項４】
前記変更手段は、前記再生手段により再生中のシーンが含まれる、前記特定の期間内に得られた動画データの各シーンに対してのみ前記変更を行うことを特徴とする請求項２または３に記載の記録装置。
【請求項５】
前記変更手段は、前記再生手段により再生済みの前記特定の期間内に記録された動画データの前記再生させないシーンとして記録されたシーンを削除可能とすることを特徴とする請求項１から４のいずれか１項に記載の記録装置。
【請求項６】
前記変更手段は、前記再生手段により再生済みの前記特定の期間内に記録された動画データの前記再生させないシーンとして記録されたシーンを削除することを特徴とする請求項１から４のいずれか１項に記載の記録装置。
【請求項７】
前記記録手段は、前記特定の期間内に記録された動画データを、１つの動画ファイルとして前記記録媒体に記録し、前記１つの動画ファイルのどの区間が再生するシーンであるかを示す付加情報を共に記録することを特徴とする請求項１から６のいずれか１項に記載の記録装置。
【請求項８】
前記変更手段は、前記付加情報を変更することによって、前記再生しないシーンとして記録されたシーンを再生するシーンに変更することを特徴とする請求項７に記載の記録装置。
【請求項９】
前記記録手段は、前記特定の期間内に記録された動画データを、シーン毎に独立した動画ファイルとすると共に、前記再生するシーンと前記再生しないシーンとを格納するフォルダによって区別して前記記録媒体に記録することを特徴とする請求項１から６のいずれか１項に記載の記録装置。
【請求項１０】
前記変更手段は、前記再生しないシーンとして区別されたフォルダに格納された動画ファイルを、前記再生するシーンとして区別されたフォルダに入れ替えることによって、前記再生しないシーンとして記録されたシーンを再生するシーンに変更することを特徴とする請求項９に記載の記録装置。
【請求項１１】
記録媒体に記録された時間的に連続する特定の期間内に得られた動画データを編集する方法であって、
前記時間的に連続する特定の期間内に得られた動画データは、ユーザにより入力された指示に従って複数のシーンに分割され、前記複数のシーンを１つ目のシーンから１シーンおきに再生させないシーンとされ、前記複数のシーンを２つ目のシーンから１シーンおきに再生するシーンとされて記録されたものであって、
前記特定の期間内に得られた動画データのうち、特定の前記再生させるシーンとして記録されたシーンを含むそれ以降の前記再生させるシーンとして記録されたシーンを再生させないシーンに変更すると共に、
前記特定の期間内に得られた動画データのうち、前記特定の前記再生させるシーンとして記録されたシーン以降の前記記録手段によって前記再生させないシーンとして記録されたシーンを再生させるシーンに変更する
ことを特徴とする編集方法。
【請求項１２】
前記特定の前記再生させるシーンとして記録されたシーンは、再生中のシーンであることを特徴とする請求項１１に記載の編集方法。
【請求項１３】
記録媒体に記録された時間的に連続する特定の期間内に得られた動画データを編集する方法であって、
前記時間的に連続する特定の期間内に得られた動画データは、ユーザにより入力された指示に従って複数のシーンに分割され、前記複数のシーンを１つ目のシーンから１シーンおきに再生させないシーンとされ、前記複数のシーンを２つ目のシーンから１シーンおきに再生するシーンとされて記録されたものであって、
前記再生させるシーンとして記録されたシーンを再生中に、特定の指示が入力されたことに応じて、
前記特定の期間内に得られた動画データのうち、前記再生中のシーンを含むそれ以降の、前記再生させるシーンとして記録されたシーンを再生させないシーンに変更すると共に、
前記特定の期間内に得られた動画データのうち、前記再生中のシーン以降の、前記再生させるシーンとして記録されたシーンを再生させるシーンに変更する
ことを特徴とする編集方法。
【請求項１４】
前記再生中のシーンが含まれる、前記特定の期間内に得られた動画データの各シーンに対してのみ前記変更を行うことを特徴とする請求項１２または１３に記載の編集方法。
【請求項１５】
前記特定の期間内に記録された動画データのうち、再生済みの前記特定の期間内に記録された動画データの前記再生させないシーンとして記録されたシーンを削除可能とすることを特徴とする請求項１１から１４のいずれか１項に記載の編集方法。
【請求項１６】
前記特定の期間内に記録された動画データのうち、再生済みの前記特定の期間内に記録された動画データの前記再生させないシーンとして記録されたシーンを削除することを特徴とする請求項１１から１４のいずれか１項に記載の編集方法。
【請求項１７】
前記特定の期間内に記録された動画データは、１つの動画ファイルとして前記記録媒体に記録されたものであって、前記１つの動画ファイルのどの区間が再生するシーンであるかを示す付加情報が共に前記記録媒体に記録されていることを特徴とする請求項１１から１６のいずれか１項に記載の編集方法。
【請求項１８】
前記付加情報を変更することによって、前記再生しないシーンとして記録されたシーンを再生するシーンに変更することを特徴とする請求項１７に記載の編集方法。
【請求項１９】
前記特定の期間内に記録された動画データは、シーン毎に独立した動画ファイルであって、前記再生するシーンと前記再生しないシーンとを格納するフォルダによって区別して前記記録媒体に記録されていることを特徴とする請求項１１から１６のいずれか１項に記載の編集方法。
【請求項２０】
前記再生しないシーンとして区別されたフォルダに格納された動画ファイルを、前記再生するシーンとして区別されたフォルダに入れ替えることによって、前記再生しないシーンとして記録されたシーンを再生するシーンに変更することを特徴とする請求項１９に記載の編集方法。
【発明の詳細な説明】
【０００１】
【発明の属する技術分野】
本発明は、光磁気ディスク、ハードディスク、メモリーカード等のランダムアクセス可能なメディアを記録媒体とするデジタルビデオカメラ等に用いて良好な記録装置及び編集方法に関する。
【０００２】
【従来の技術】
ビデオカメラのユーザインターフェースの内、カメラ撮影を開始又は終了するときのキーは同一のプッシュボタン（以降トリガーと記す）であるのが一般的である。動作としてはトグルタイプと押し続けタイプがある。トグルタイプは、記録可能な状態で電源を入れたとき記録待機となっており、トリガーを押す度に記録、記録待機を繰り返すというようなシステムである。一方押し続けタイプは、押している間のみ記録を行うシステムである。特開平５−４８９４３号公報には、それぞれの長所を生かすため押し続けとトグルを切り替えることが可能な構成が記載されている。ハンディタイプのビデオカメラでは、従来から現在にいたるまで、ほとんどこのどちらかのシステムとなっている。しかしながら、押し続けタイプは長時間の撮影には向かないため、実際にはトグルタイプで撮影されることが多く、トグルタイプのみの製品も多い。
【０００３】
このようなビデオカメラでは、カメラ撮影時に記録中及び記録待機中のどちらの状態になっているのかは、ビューファインダや液晶パネルの情報表示に頼ることになる。また、撮影像の表示を可能な限り優先したいので、情報はなるべく小さく表示するため文字が見づらい。このため、記録、記録待機を繰り返していると、例えば移動中に不用意にトリガーを押してしまい、記録、記録待機が反転してしまい、撮影者が撮影したかった動画像及び音声が記録されなかったというような誤記録問題（地面撮り問題ということもある）が発生する。
【０００４】
このような問題を回避するべく既に多くの提案がなされている。例えば、特開平０５−１８３７９５号公報、特開平０７−２６２６４４号公報、特開平０５−１９１７１２号公報及び特開平０８-２９４０７８号公報等である。特開平０５−１８３７９５号公報及び特開平０７−２６２６４４号公報では、カメラに姿勢を検出し、例えばカメラが下を向いていたら地面撮りと判断し、撮影を中止するというような提案である。特開平０５−１９１７１２号公報ではＥＶＦを覗いているか否かを検出し、また特開平０８−２９４０７８号公報ではカメラの振動を検出し、それぞれの信号により正常な撮影であるか否かを判断している。このように従来例では大きく分けると、トリガーを工夫したもの、ビデオカメラの姿勢や動きを検出し記録待機中又はシステム停止とするものが多い。
【０００５】
一方、最近では、ビデオの記録媒体としてハードディスク及び光磁気ディスク等のテープ以外のメディアが採用され始めている。これらはランダムアクセスが可能であり、記録した動画像の中から不要な部分を消去するなどの作業が、テープに比べはるかに簡単であるのは言うまでもない。また記録容量も日進月歩で大容量化している。
【０００６】
【発明が解決しようとする課題】
しかし、従来例は、地面撮り問題を確実に防止できるものではない。
【０００７】
本発明は、従来例で述べたようなカメラ撮影の誤記録問題を、ランダムアクセス可能なメディアの特徴を生かして解決するものである。
【０００８】
【課題を解決するための手段】
上記問題点を解決するために、本発明に係る記録装置は、時間的に連続する特定の期間内に得られた動画データを、ユーザにより入力された指示に従って複数のシーンに分割すると共に、前記複数のシーンを１つ目のシーンから１シーンおきに再生させないシーンとして記録媒体に記録し、前記複数のシーンを２つ目のシーンから１シーンおきに再生するシーンとして前記記録媒体に記録する記録手段と、前記特定の期間内に得られた動画データのうち、特定の前記再生させるシーンとして記録されたシーンを含むそれ以降の前記記録手段によって前記再生させるシーンとして記録されたシーンを再生させないシーンに変更すると共に、前記特定の期間内に得られた動画データのうち、前記特定の前記再生させるシーンとして記録されたシーン以降の前記記録手段によって前記再生させないシーンとして記録されたシーンを再生させるシーンに変更する変更手段とを備えることを特徴とする。
本発明に係る記録装置は、時間的に連続する特定の期間内に得られた動画データを、ユーザにより入力された指示に従って複数のシーンに分割すると共に、前記複数のシーンを１つ目のシーンから１シーンおきに再生させないシーンとして記録媒体に記録し、前記複数のシーンを２つ目のシーンから１シーンおきに再生するシーンとして前記記録媒体に記録する記録手段と、前記複数のシーンのうち前記再生させるシーンとして記録されたシーンを再生する再生手段と、前記再生手段により前記再生させるシーンとして記録されたシーンを再生中に、特定の指示が入力されたことに応じて、前記特定の期間内に得られた動画データのうち、前記再生中のシーンを含むそれ以降の、前記記録手段によって前記再生させるシーンとして記録されたシーンを再生させないシーンに変更すると共に、前記特定の期間内に得られた動画データのうち、前記再生中のシーン以降の、前記記録手段によって前記再生させるシーンとして記録されたシーンを再生させるシーンに変更する変更手段とを備えることを特徴とする。
本発明に係る編集方法は、記録媒体に記録された時間的に連続する特定の期間内に得られた動画データを編集する方法であって、前記時間的に連続する特定の期間内に得られた動画データは、ユーザにより入力された指示に従って複数のシーンに分割され、前記複数のシーンを１つ目のシーンから１シーンおきに再生させないシーンとされ、前記複数のシーンを２つ目のシーンから１シーンおきに再生するシーンとされて記録されたものであって、前記特定の期間内に得られた動画データのうち、特定の前記再生させるシーンとして記録されたシーンを含むそれ以降の前記再生させるシーンとして記録されたシーンを再生させないシーンに変更すると共に、前記特定の期間内に得られた動画データのうち、前記特定の前記再生させるシーンとして記録されたシーン以降の前記記録手段によって前記再生させないシーンとして記録されたシーンを再生させるシーンに変更することを特徴とする。
本発明に係る編集方法は、記録媒体に記録された時間的に連続する特定の期間内に得られた動画データを編集する方法であって、前記時間的に連続する特定の期間内に得られた動画データは、ユーザにより入力された指示に従って複数のシーンに分割され、前記複数のシーンを１つ目のシーンから１シーンおきに再生させないシーンとされ、前記複数のシーンを２つ目のシーンから１シーンおきに再生するシーンとされて記録されたものであって、前記再生させるシーンとして記録されたシーンを再生中に、特定の指示が入力されたことに応じて、前記特定の期間内に得られた動画データのうち、前記再生中のシーンを含むそれ以降の、前記再生させるシーンとして記録されたシーンを再生させないシーンに変更すると共に、前記特定の期間内に得られた動画データのうち、前記再生中のシーン以降の、前記再生させるシーンとして記録されたシーンを再生させるシーンに変更することを特徴とする。
【００１８】
【実施例】
（第１実施例）
図１は、本発明の第１実施例の概略構成ブロック図を示し、図２は、外観図を示す。
【００１９】
図２を先ず、説明する。５０はビデオカメラ本体である。ビデオカメラ本体５０内部には、ハードディスク又は光磁気ディスク等の記録媒体が収納され、例えばＭＰＥＧ（Ｍｏｖｉｎｇ  Ｐｉｃｔｕｒｅ  Ｅｘｐｅｒｔｓ  Ｇｒｏｕｐ）方式等の圧縮処理を施されたＭＰＥＧデータを記録再生するものである。５２はレンズ部である。５４はマイクであり、撮影時の音声を記録するために備えられている。５６は電子式ビューファインダ（ＥＶＦ）であり、覗き込むことによりカメラ撮影時に被写体を狙ったり、確認したりするために備えられている。ＥＶＦ５６は本体内の制御によりオフにすることができる。
【００２０】
５８はトリガースイッチである。トリガースイッチ５８はプッシュボタンであり、撮影開始及び終了を機器に伝達するためにユーザが操作するスイッチである。
【００２１】
６０はモードダイアルであり、回転式のスイッチからなる。図３は、モードダイアル６０を正面から見た図である。モードダイアル６０では、例えば再生モードに設定する”再生”、カメラモードに設定する”カメラ”及びその何れでもない”ＯＦＦ”の何れかを選択できる。７２は本体に表示されているバーである。ユーザの操作によりモードダイアル６０を回転させ、バー７２の位置に合わせたモードで起動する。再生モードでは、カメラ部がオフとなり、記録した画像を再生する他、編集や削除するよな機能もある。一方、カメラモードは撮影することを主目的としたモードである。
【００２２】
６２は操作スイッチ群であり、ユーザが本体を操作するため、特に再生系やメニュー操作等のためのキーが配置されている。
【００２３】
６４は本体側面に開閉自在となるよう取り付けられた液晶パネルであり、ＥＶＦ５６と同様に、カメラ撮影時には被写体像の確認、再生時には再生画像の表示に主に使用される。液晶パネル６４は、ＥＶＦ５６同様に本体内の制御によりオフにすることができる。液晶パネル６４は、本体５０から開いている状態で、更に水平方向にも回転可能になっている。
【００２４】
７０は液晶パネル６４が閉じている状態を電気的に検出するためのパネル開閉検出スイッチである。例えばパネルのフレームに突起があり、閉じた状態ではパネル開閉検出スイッチ７０が押される構造になっており、パネル開閉検出スイッチ７０が押され状態と、放された状態の二つの状態を制御系が認識可能になっている。
【００２５】
６６はスピーカであり、再生する時に音声を出力するために設けられている。
６８はバッテリであり、本体と着脱可能になっている。
【００２６】
次に、図１を参照して、信号の流れと制御系を説明する。２２はマイクロコンピュータであり、システム全体を制御する。１０はレンズユニットであり、例えば、集光のための固定レンズ群、変倍レンズ群、絞り、及び、変倍レンズ群の動きで移動した結像位置を補正する機能と焦点調節を行う機能とを兼ね備えた補正レンズ群により構成される。これらのレンズ群により構成されるレンズユニット１０によって、最終的に撮像センサの結像面上に被写体像が結像される。
【００２７】
１２はＣＣＤ（ｃｈａｒｇｅ  ｃｏｕｐｌｅｄ  ｄｅｖｉｃｅ）式撮像素子であり、光を電荷に変換し撮像信号を生成する。１４はカメラ信号処理部であり、撮像信号に所定の処理を施しデジタル画像データを出力する。１６はマイクユニットである。マイクユニット１６は、撮影時に音声を集めるために備わっており、所定の増幅、帯域制限及びＡＤ変換器等を含み、デジタル音声データを出力する。１８は圧縮処理部であり、前述のデジタル画像データとデジタル音声データを、例えばＭＰＥＧ（Ｍｏｖｉｎｇ  Ｐｉｃｔｕｒｅ  Ｅｘｐｅｒｔｓ  Ｇｒｏｕｐ）方式等でリアルタイムに圧縮し、圧縮ビデオデータを出力する。
【００２８】
２０はディスク制御部である。２４は、光磁気ディスクのような書き換え可能な記録媒体からなるディスクである。ディスク２４はディスク制御部２０に制御され、データの書き込み、読み出しを行うものである。この時、例えばＤＯＳファイルシステム等のパーソナルコンピュータで扱うことのできるフォーマットで読み書きする。
【００２９】
２６は伸長処理部であり、ディスク制御部２０を介してディスク２４から読み出されたＭＰＥＧデータをビデオデータに変換する。３０は画像入力選択スイッチであり、マイクロコンピュータ２２の制御によりカメラ信号処理部１４からのカメラ画像信号及び伸長処理部２６からの再生画像信号のうち一方を選択し、出力する。画像入力選択スイッチ３０は２チャンネルからなり、それぞれを独立に制御可能である。
【００３０】
２８はＥＶＦであり、３２は液晶パネルであり、画像入力選択スイッチ３０の出力をそれぞれ受け出力する。ＥＶＦ２８及び液晶パネル３２はそれぞれ電源が独立しており、マイクロコンピュータ２２の制御によりシステムとは独立にオン／オフすることができる。３４はパネル開閉検出スイッチであり、液晶パネル３２の開閉状態をマイクロコンピュータ２２に通知する。
【００３１】
３６はスピーカユニットであり、ＭＰＥＧデータの再生時に伸長処理部２６から音声信号を受け、音声を再生する。またマイクロコンピュータ２２の制御によりボリュームは変更可能である。
【００３２】
３８は操作スイッチ群であり、ユーザが機器を操作するためにある。３８ａはセットキーであり、メニュー等で選択した項目を決定したり動作させたりするときに押されるキーである。３８ｂはプラスキー、３８ｃはマイナスキーであり、やはりメニュー等で複数の項目から一つを選択する時に用いるキーである。３８ｄは後で説明する修正キーである。操作スイッチ３８には少なくともこれらのキー又はこれらの処理を実行させるためのキーが含まれている。
【００３３】
４０はモードダイアルであり、再生モード、カメラモード又はＯＦＦを選択するスイッチである。４２はトリガースイッチであり、カメラモードにおいて押されるたびに撮影開始ポイント又は撮影終了ポイントのイベントを発生させる。モードダイアル４０及びトリガースイッチ４２は、操作スイッチ群３８と同様にユーザが操作するスイッチであるが、図２の説明で独立させたので同様にした。
【００３４】
図５はマイクロコンピュータ２２によりディスク２４に生成、保存されるファイル名及びディレクトリ名の模式図であり、ディスク２４内のビデオファイル及び管理ファイル等を保存する領域全体のツリーを示す。
【００３５】
１１２〜１１６はビデオファイルを保存するディレクトリ、１１０はその親ディレクトリである。１１８〜１２２は各ディレクトリに保存されているビデオファイル群である。ビデオファイル名の生成ルールは、ＡＢＣＤ０００１．ｍｐｇからＡＢＣＤ０１００．ｍｐｇというように、ピリオド以下を除く主要部分の下４桁の番号を１ずつ加算したファイル名にする。ここでは、説明の便宜上、各ディレクトリのファイル名としてＡＢＣＤ０１００．ｍｐｇまで保存したら、次回のファイルは次のディレクトリを作成し、そこに保存するものとする。ファイル名の上４桁は本実施例では固定にしたが、この限りではなく、例えばディレクトリごとに変えていくことも可能である。図５では、ディレクトリ１１２は、最初に撮影し、ビデオファイルを保存する時に作成される。
【００３６】
図５では、既にディレクトリ１１２内にはファイル名の上限であるＡＢＣＤ０１００．ｍｐｇまで保存されているので、次のディレクトリ１１４に移り、同様にディレクトリ１１６に移行する。ディレクトリ名はここでは３桁の番号＋固定文字列となっており、ファイル名同様に数字を１ずつ加算していく。
【００３７】
１２４は管理ファイルを保存するディレクトリであり、１２６は後で説明するビデオ管理ファイルであり、ここでは、それぞれＭＩＳＣ、ＬＩＳＴ．ＤＡＴという名称である。
【００３８】
本実施例では、モードダイアル４０によりカメラモードで電源を投入されてから電源オフにされるまでの間、ユーザのトリガースイッチ４２の操作に係わらず、常に圧縮ビデオデータをディスク２４に記録し続ける。更に電源投入から電源オフまでの間に記録された圧縮ビデオデータを一つのファイルとして記録することを特徴とする。つまり、カメラモードでシステムが立ち上がるたびにファイルが一つずつ増えているものであり、ビデオファイル群１１８〜１２０内のそれぞれのファイルに相当する。
【００３９】
ＥＶＦ２８又は液晶パネル３２には、ユーザの意思により撮影、記録している時には“撮影”又はそれとわかる表示を行い、それ以外の時には“撮影待機“又はそれとわかる表示を行う。本実施例の場合、常に記録しているので、従来のように記録中と一時停止で表示を変えるのは、意味をなさない。また、ディスクがない、空き容量がない等により撮影不可能な時はこの限りではなく、従来のような撮影不可であることがわかる表示を行う。
【００４０】
更に、ＬＩＳＴ．ＤＡＴ１２６には、トリガースイッチ４２を操作したポイントを記録する。
【００４１】
図６は、ＬＩＳＴ．ＤＡＴ１２６の内容の一例である。１３０はＬＩＳＴ．ＤＡＴ１２６の内容を表すリストであり、ここではテキスト形式で扱うものとし、書式は＜＞をＸＭＬのようなタグとする。１３０はリストの開始を、１５６は終了をあらわすタグである。１３２はヘッダ開始、１３６はヘッダ終了をあらわし、付加情報等をこの間に記述する。１３８は本情報開始、１５４は本情報終了を意味する。１３４は付加情報の一例であり、ｍｅｔａはこのタグが付加情報であること、以下はｎｅｗという名前の識別子であり、その値は１０３−０３０２，１０３−０３０３であることをあらわしている。付加情報１３４は、記録されたビデオファイルの内、まだ最後まで再生されていないファイルを識別するための情報である。図６の例では、ＩＭＡＧＥディレクトリ１０３内のＡＢＣＤ０３０２．ｍｐｇ及びＡＢＣＤ０３０３．ｍｐｇがまだ再生されていない。
【００４２】
１５８〜１６４及び同形式の集合体である１６６は、ビデオファイルの内、ユーザがトリガースイッチを押すことによる撮影開始から終了までをあらわしており、便宜上、これらをビデオクリップタグと呼ぶ。ビデオクリップタグ１５８の例でその内容の説明をする。１４０はビデオクリップタグであることをあらわす識別子ｖｉｄｅｏである。１４２はビデオクリップの開始時間をあらわす識別子ｃｌｉｐ−ｂｉｇｉｎ、１４６はビデオクリップの終了時間をあらわす識別子ｃｌｉｐ−ｅｎｄ、１５０はファイル名を指し示す識別子ｓｒｃである。ファイル名は、ＬＩＳＴ．ＤＡＴ１２６からの相対パスで記されている。
【００４３】
ビデオクリップタグ１５８では、カメラモードで電源を入れビデオファイルＡＢＣＤ０１０１．ＭＰＧが記録開始された時点から３０秒の時刻に、ユーザは撮影を開始すべくトリガースイッチ４２を押し、同じく記録開始から５分１０秒（１４８）の時刻に撮影を一旦終了すべく再度トリガースイッチ４２を押したことが記録されている。但し、前述の通りビデオの記録は継続されている。
【００４４】
図６では、ビデオクリップタグ１５８を撮影した後、電源を切る前に少なくともビデオクリップタグ１６０の撮影がなされたことをあらわしている。そして、一度、電源を切り、再びカメラモードで電源を投入した時に記録されたビデオファイルが、ＡＢＣＤ０１０２．ＭＰＧである。よってどこからどこまでが一回の電源の投入で記録されたのかは、それぞれのビデオファイル一つずつであり、そのビデオファイルの内、ユーザがいつトリガーを押したのかは、ＬＩＳＴ．ＤＡＴ１２６によって知ることが出来る。誤操作が無ければ、ユーザの意思で撮影された箇所は、ＬＩＳＴ．ＤＡＴ１２６に記されている通りである。付加情報１３４は、／ＤＣＩＭ／１０３ＩＭＡＧＥディレクトリ内のビデオファイルＡＢＣＤ０３０２．ＭＰＧ、ＡＢＣＤ０３０３．ＭＰＧが、記録後、一度も再生されていないことを示している。
【００４５】
次に再生モードを説明する。基本的には、ＬＩＳＴ．ＤＡＴ１２６に記されているビデオクリップタグを一つのクリップであるように表示又は再生する。図４は、ビデオクリップの再生選択画面の一例である。８０は選択画面であり、ＥＶＦ２８又は液晶パネル３２に表示する画面である。本実施例では割愛したが、テレビモニタに表示するためのビデオ出力端子、並びに、コンピュータ、デジタルテレビ及びビデオデッキと接続するためのＩＥＥＥ１３９４端子及びＵＳＢなどが搭載されている場合（実際の製品では搭載される）には、そちらにも表示される。８４−１〜８４−６はビデオクリップの代表画像である。８６はカーソルであり、ビデオクリップを選択するためにある。図４ではビデオクリップ８４−３が選択されている。カーソル８６を動かすには、プラスキー３８ｂ又はマイナスキー３８ｃを押す。
【００４６】
８８はスライダ、９０はポインタであり、現在表示されているサムネイル群が全体のどの辺りにあたるかをイメージ的に表している。８２はカーソル８６で指されているビデオクリップに関するビデオクリップ情報である。図４の例ではビデオクリップ情報８２の一段目が、ディスク内には３０のビデオクリップが記録されており、ＬＩＳＴ．ＤＡＴ１２６に記録されている順番によると、ビデオクリップ８４−３は１５番目であることを示している。
【００４７】
このようなビデオクリップ選択画面８０が表示されている時、プラスキー３８ｂを押すたびに８４−４，８４−５の方向に、マイナスキー３８ｃを押すたびに８４−２，８４−１の方向にカーソル８６が移動していく。これに連動してビデオクリップ情報８２及びポインタ９０の位置も変化してく。ビデオクリップ８４−１よりも前又はビデオクリップ８４−６の次を選択しようとすると、スクロールしていく。更にセットキー３８ａを押すことにより、そのときにカーソル８６が指し示しているビデオクリップの再生が開始される。再生画終了すると、再びビデオクリップ選択画面８０に戻る。
【００４８】
又は、停止キーを押されない限り次のビデオクリップを再生し、最後のビデオクリップまで再生を続けても良い。実際にはバッテリの残量及びディスクの有無等の各種情報も表示されている。
【００４９】
次に、図８を参照して、記録されているファイルと再生される箇所を時間軸に沿って説明する。
【００５０】
１８０は記録されているビデオクリップのデータ群であり、時系列順にイメージしたものである。電源オンから電源オフまでの範囲がビデオファイルＡＢＣＤ０３０２．ＭＰＧとして記録されている部分である。電源オンより左が一つ前のファイルＡＢＣＤ０３０１．ＭＰＧ、電源オフより右がＡＢＣＤ０３０３．ＭＰＧである。もちろん編集、消去等の作業が入っている場合はこの限りではない。
【００５１】
１８２，１８４，１８６，１９０，１９４は、撮影箇所と認識したビデオクリップである。図４のビデオクリップ選択画面８０にはこれらの代表画像が含まれることになる。ビデオクリップ１８２から連続して再生する場合、ビデオクリップ１８２→ビデオクリップ１８４→ビデオクリップ１８６→ビデオクリップ１９０→ビデオクリップ１９４という順に再生されていく。これは、図６でのその間の範囲はビデオカメラがユーザの意思に関係なく記録を続けていた部分である。
【００５２】
次に誤撮影問題とその対策を説明する。ビデオクリップ１８６の撮影開始ポイントとなるトリガーが、実はユーザの意思によるものでなく、不用意に押してしまったものとする。この場合、ビデオクリップ１８６の撮影終了位置が正しい撮影開始位置であり、その後、電源オフまで撮影と撮影待機が反転してしまう、所謂、地面撮りが起きてしまう。この場合、本当はビデオクリップ１８８及びビデオクリップ１９２を撮影したかったことになる。そこで、ユーザは、ビデオクリップ１８６の再生中に修正キー３８ｄを押す。マイクロコンピュータ２２は、この操作を受け、ビデオクリップ１８６の再生を中止し、ビデオクリップ１８８からビデオクリップ１９２へと再生対象を変更する。但し、次のファイルへは修正キー３８ｄの処理を反映させない。またこれと同時に、ＬＩＳＴ．ＤＡＴ１２６の内容も変更する。
【００５３】
図７は、図６のＬＩＳＴ．ＤＡＴ１２６の一部であり、図８での修正前後の変化を記述したものである。１６６は修正前のＡＢＣＤ０３０２．ＭＰＧに関するビデオクリップタグ群である。一行目から順に図８のビデオクリップ１８２、１８４，１８６，１９０，１９４に対応している。前述の修正を実行することにより、ビデオクリップ１８６，１９０，１９４に対応したビデオクリップタグが削除され、ビデオクリップ１８８，１９２に対応したビデオクリップタグが追加される。１７０は修正後のビデオクリップタグ群であり、１７２，１７４がそれぞれ、ビデオクリップ１８８，１９２に対応するビデオクリップタグである。更に、付加情報１３４は未再生のファイルを識別するための情報なので、付加情報１７６のように変更される。つまりこの付加情報に記されていないビデオファイルは少なくとも一度再生しているので、上記のような誤記録がなかったか、又は修正済みということになる。よってビデオクリップタグで指定されていない部分は切り離し、削除の候補になり、自動的に削除しても良い。
【００５４】
この一連の動作により、カメラモードで動作している間は全て記録しているが、ユーザは再生時にそれらを全て観る必要は無い。また、トリガー操作の誤りによって生じる地面撮り問題が発生しても、再生時に修正することが可能となる。
【００５５】
（第２実施例）
次に、第２の実施例を説明する。構成は第１に実施例と同様なので省略する。
第１実施例では、管理情報ＬＩＳＴ．ＤＡＴ１２６をパース可能な機種でしか上記のような動作は出来ず、その他の機種では全てを再生してしまう。そこで、第２実施例では、トリガースイッチ４２を押すごとにそこまでのビデオデータを一つのファイルとして保存する。つまり、第１実施例でビデオクリップと呼んだビデオデータ群は、それぞれ別のファイルとし保存される。更に、ユーザの操作により撮影されたビデオファイル（以下、撮影ビデオファイルと称す。）を、第１実施例と同様なディレクトリに保存するが、それ以外のビデオファイル（以下、バックアップビデオファイルと称す。）を、異なったディレクトリに保存する。
【００５６】
図９は、マイクロコンピュータ２２によりディスク２４に生成保存されるファイル名及びディレクトリ名を説明するものであり、ディスク２４内のビデオファイル、及び管理ファイル等を保存する領域全体のツリーを示す。２１２は撮影ビデオファイルを保存するディレクトリ、２１０はその親ディレクトリである。２１４は撮影ビデオファイル群である。２１８は、バックアップビデオファイル群を保存するディレクトリであり、２１６はその親ディレクトリである。２２０はバックアップビデオファイル群である。
【００５７】
ビデオファイル名の生成ルールは、ＡＢＣＤ０００１．ｍｐｇからＡＢＣＤ０１００．ｍｐｇというように、ピリオド以下を除く主要部分の下４桁の番号を１ずつ加算したファイル名にする。ここでは、説明の便宜上、各ディレクトリのファイル名がＡＢＣＤ０１００．ｍｐｇまで保存したら、次回の保存は次のディレクトリを作成し、そこに保存するものとする。ファイル名の上４桁は、本実施例では固定にしたが、この限りではなく、例えばディレクトリごとに変えていくことも可能である。基本的には第１実施例と同様である。但し、各ファイルには、バックアップビデオファイル及び撮影ビデオファイルにかかわらず、時系列的に連続したファイル名を付与する。
【００５８】
２２２は管理ファイルを保存するディレクトリであり、２２４は後で説明するビデオ管理ファイルであり、ここではそれぞれＭＩＳＣというディレクトリ名、ＬＩＳＴ．ＤＡＴというファイル名である。
【００５９】
本実施例では、モードダイアル４０によりカメラモードで電源投入されてから電源オフされる間に記録されたビデオファイルを以下のような方法でグループ化する。
【００６０】
第１の方法では、ディレクトリを変える。例えば、撮影ビデオファイルをＤＣＩＭディレクトリ内の１０１ＩＭＡＧＥディレクトリに、バックアップビデオファイルをＢＵＦＦディレクトリ内の１０１ＩＭＡＧＥディレクトリに保存する。一旦電源をオフにし、再度、カメラモードで電源をオンにしたときには、それぞれ１０１ＩＭＡＧＥディレクトリを作り、ここに保存する。よってディレクトリ毎に一つのグループとなる。
【００６１】
第２の方法では、ＬＳＩＴ．ＤＡＴにグループ情報を記述する。
【００６２】
第３の方法では、ビデオファイル名の固定部分をグループごとに変えていく。
【００６３】
このように、要は、再生時にグループを識別できればよい。
【００６４】
次に再生動作を説明する。基本的に、通常再生で再生されるビデオファイルは、ＤＣＩＭ２１０内に保存されている撮影ビデオファイルのみである。ＡＢＣＤ０１０４．ｍｐｇを再生中に誤記録に気付き、修正キー３８ｄを押したとする。
マイクロコンピュータ２２は、これを受け、グループ内且つＡＢＣＤ０１０４．ｍｐｇ及びそれ以降に記録されたファイルに関して、ＤＣＩＭ２１０内とＢＵＦＦ２１６のビデオファイルを入れ替える。
【００６５】
この動作により、カメラモードで動作している間は全て記録しているが、ユーザは再生時にそれらを全て観る必要は無い。また、トリガー操作の誤りによって生じる地面撮り問題が発生しても、再生時に修正することが可能となる。
【００６６】
デジタルカメラでの静止画ファイル名等のルールは、日本電子工業振興協会が制定しているカメラファイルシステム規格Ｄｅｓｉｇｎ  ｒｕｌｅ  ｆｏｒ  Ｃａｍｅｒａ  Ｆｉｌｅ  ｓｙｓｔｅｍ（ＤＣＦ）がある。
【００６７】
このＤＣＦのような規格を定めておけば、これに準拠した製品とは互換が保たれ、ＤＣＩＭ内のビデオファイルのみ再生されるので、第１実施例よりも互換性を確保しやすい。
【００６８】
【発明の効果】
以上の説明から容易に理解できるように、本発明によれば、カメラモードで動作している間は全て記録しているが、ユーザは再生時にそれらを全て観る必要が無いと共に、トリガー操作の誤りによって生じる地面撮り問題が発生しても再生時に修正することが可能となる。
【図面の簡単な説明】
【図１】  本発明の第１実施例の概略構成ブロック図である。
【図２】  第１実施例の外観図である。
【図３】  モードダイアル６０を正面から見た図である。
【図４】  第１実施例のインデックス画面である。
【図５】  第１実施例のファイルツリーである。
【図６】  第１実施例の管理ファイルである。
【図７】  第１実施例の管理ファイルの修正を説明する図である。
【図８】  第１実施例の再生時に再生箇所を修正する様子を表す図である。
【図９】  第２実施例のファイルツリーである。
【符号の説明】
１０：レンズユニット
１２：ＣＣＤ
１４：カメラ信号処理部
１６：マイクユニット
１８：圧縮処理部
２０：ディスク制御部
２２：マイクロコンピュータ
２４：ディスク
２６：伸長処理部
２８：ＥＶＦ
３０：画像入力選択スイッチ
３２：液晶パネル
３４：パネル開閉検出スイッチ
３６：スピーカユニット
３８：操作キー
４０：モードダイアル
４２：トリガースイッチ
５０：ビデオカメラ本体
５２：レンズ部
５４：マイク
５６：電子式ビューファインダ（ＥＶＦ）
５８：トリガースイッチ
６０：モードダイアル
６２：操作スイッチ群
６４：液晶パネル
６６：スピーカ
６８：バッテリ
７０：パネル開閉検出スイッチ
７２：バー
【図１】
0004544499.tif 000002
【図２】
0004544499.tif 000003
【図３】
0004544499.tif 000004
【図４】
0004544499.tif 000005
【図５】
0004544499.tif 000006
【図６】
0004544499.tif 000007
【図７】
0004544499.tif 000008
【図８】
0004544499.tif 000009
【図９】
0004544499.tif 000010